(57)【要約】【課題】貯蔵室内や床面の浸水を防止できる冷水器を備えた冷蔵庫を提供する。【解決手段】貯蔵室３内に設けられて上面に開口する注水口１７を開閉部材１８により開閉する水タンク１３と、貯蔵室３を開閉する扉３ａの前面に設けられるとともに水タンク１３に連結して水タンク１３内の水を取水する取水部１１とを有する冷水器１０を備えた冷蔵庫１において、開閉部材１８を開いた状態で注水口１７を介した水タンク１３からの水の流出を防止する流出防止部２１を設けた。【選択図】図４
2011012827.tif 000002
【特許請求の範囲】
【請求項１】
貯蔵室内に設けられて上面に開口する注水口を開閉部材により開閉する水タンクと、前記貯蔵室を開閉する扉の前面に設けられるとともに前記水タンクに連結して前記水タンク内の水を取水する取水部と、を有する冷水器を備えた冷蔵庫において、前記開閉部材を開いた際に前記注水口から前記水タンク外への水の流出を抑制する流出抑制部を設けたことを特徴とする冷蔵庫。
【請求項２】
前記流出抑制部が前記注水口に設けた格子状のリブから成ることを特徴とする請求項１に記載の冷蔵庫。
【請求項３】
前記流出抑制部が前記注水口と前記開閉部材との間に配されるとともに上下方向の隙間を有して前記注水口を覆う遮蔽板から成ることを特徴とする請求項１に記載の冷蔵庫。
【請求項４】
前記流出抑制部が前記注水口を塞ぐ弾性部材から成り、前記水タンクに注水する際に水の自重によって前記弾性部材が弾性変形して前記注水口が開放されることを特徴とする請求項１に記載の冷蔵庫。
【請求項５】
前記水タンクの上面に側壁が傾斜面から成る凹部を設け、前記開閉部材が前記凹部の上面を開閉するとともに前記注水口を前記凹部の底面に形成したことを特徴とする請求項１〜請求項４のいずれかに記載の冷蔵庫。
【発明の詳細な説明】
【技術分野】
【０００１】
本発明は、冷水器を備えた冷蔵庫に関する。
【背景技術】
【０００２】
従来の冷蔵庫は特許文献１に開示されている。この冷蔵庫は貯蔵室を開閉する扉の前面から取水する冷水器を備えている。冷水器は扉の背面に配される水タンクと扉の前面に配される取水部とを有し、水タンクと取水部とが扉を貫通する給水パイプにより連結されてている。水タンクは上面を開口する貯水部と貯水部の上面を覆う蓋部とを有し、蓋部に注水口が開口する。注水口は着脱自在のキャップが螺合される。
【０００３】
キャップの脱着によって注水口から貯水部に注水してキャップが装着される。扉を閉じると水タンク内の水が冷却され、取水部から水タンク内の冷水を取り出すことができる。
【先行技術文献】
【特許文献】
【０００４】
【特許文献１】特開２００６−２３０１７号公報（第３頁−第５頁、第２図）
【発明の概要】
【発明が解決しようとする課題】
【０００５】
しかしながら、上記従来の冷蔵庫によると、使用者が注水口のキャップを閉じ忘れる場合がある。この時、扉開閉時の衝撃による慣性力によって水タンク内の水が波立ち、注水口を介して水タンク外に流出した水によって貯蔵室内や床面が浸水する問題があった。
【０００６】
本発明は、貯蔵室内や床面の浸水を防止できる冷水器を備えた冷蔵庫を提供することを目的とする。
【課題を解決するための手段】
【０００７】
上記目的を達成するために本発明は、貯蔵室内に設けられて上面に開口する注水口を開閉部材により開閉する水タンクと、前記貯蔵室を開閉する扉の前面に設けられるとともに前記水タンクに連結して前記水タンク内の水を取水する取水部と、を有する冷水器を備えた冷蔵庫において、前記開閉部材を開いた際に前記注水口から前記水タンク外への水の流出を抑制する流出抑制部を設けたことを特徴としている。
【０００８】
この構成によると、開閉部材を開いて注水口から水タンク内に注水され、開閉部材を閉じて扉が閉じられる。水タンク内の水は冷却され、取水部から冷水が取水される。開閉部材を開いた状態で扉を開閉した際に衝撃による慣性力によって波立つ水タンク内の水は流出抑制部によって注水口からの流出が抑制される。
【０００９】
また本発明は、上記構成の冷蔵庫において、前記流出抑制部が前記注水口に設けた格子状のリブから成ることを特徴としている。この構成によると、扉開閉時の衝撃による慣性力によって波立つ水タンク内の水は格子状のリブの整流作用によって振幅が減少して注水口からの流出が抑制される。
【００１０】
また本発明は、上記構成の冷蔵庫において、前記流出抑制部が前記注水口と前記開閉部材との間に配されるとともに上下方向の隙間を有して前記注水口を覆う遮蔽板から成ることを特徴としている。この構成によると、扉開閉時の衝撃による慣性力によって波立つ水タンク内の水は注水口よりも上昇し、遮蔽板に衝突して水タンク内に戻される。これにより、注水口からの水の流出が抑制される。
【００１１】
また本発明は、上記構成の冷蔵庫において、前記流出抑制部が前記注水口を塞ぐ弾性部材から成り、前記水タンクに注水する際に水の自重によって前記弾性部材が弾性変形して前記注水口が開放されることを特徴としている。この構成によると、水タンクに注水すると水の自重によって弾性部材が弾性変形して注水口が開放される。注水が終了すると弾性部材により注水口が閉じられる。扉開閉時の衝撃による慣性力によって波立つ水タンク内の水は弾性部材に衝突して注水口からの流出が抑制される。
【００１２】
また本発明は、上記構成の冷蔵庫において、前記水タンクの上面に側壁が傾斜面から成る凹部を設け、前記開閉部材が前記凹部の上面を開閉するとともに前記注水口を前記凹部の底面に形成したことを特徴としている。この構成によると、開閉部材を開くと凹部内に注水された水が注水口から水タンク内に流入する。また、注水口よりも上昇した水は凹部の側壁に沿って水タンク内に戻される。
【発明の効果】
【００１３】
本発明によると、開閉部材を開いた際に注水口からの水の流出を抑制する流出抑制部を設けたので、開閉部材を閉じ忘れた際に扉開閉時の衝撃による慣性力によって水タンク内の水が波立っても注水口からの流出が流出抑制部により抑制される。従って、貯蔵室内や床面の浸水を防止することができる。
【図面の簡単な説明】
【００１４】
【図１】本発明の第１実施形態の冷蔵庫を示す正面図
【図２】本発明の第１実施形態の冷蔵庫の扉を開いた状態を示す斜視図
【図３】本発明の第１実施形態の冷蔵庫の水タンクを示す上面図
【図４】本発明の第１実施形態の冷蔵庫の水タンクを示す側面断面図
【図５】本発明の第２実施形態の冷蔵庫の水タンクを示す上面図
【図６】本発明の第２実施形態の冷蔵庫の水タンクを示す側面断面図
【図７】本発明の第３実施形態の冷蔵庫の水タンクを示す上面図
【図８】本発明の第３実施形態の冷蔵庫の水タンクを示す側面断面図
【図９】本発明の第４実施形態の冷蔵庫の水タンクを示す上面図
【図１０】本発明の第４実施形態の冷蔵庫の水タンクを示す側面断面図
【図１１】本発明の第５実施形態の冷蔵庫の水タンクを示す上面図
【図１２】本発明の第５実施形態の冷蔵庫の水タンクを示す側面断面図
【図１３】本発明の第５実施形態の冷蔵庫の水タンクの注水時の状態を示す側面断面図
【発明を実施するための形態】
【００１５】
以下に本発明の実施形態を図面を参照して説明する。図１は第１実施形態の冷蔵庫を示す正面図である。冷蔵庫１は上部に冷凍室２が配され、冷凍室２の下方に冷蔵室３が配される。冷凍室２及び冷蔵室３の前面はそれぞれ扉２ａ、３ａにより開閉される。冷蔵室３の扉３ａの前面には冷水器１０の取水部１１が設けられる。
【００１６】
図２は冷蔵庫１の扉２ａ、３ａを開いた状態を示す斜視図である。冷蔵室３の扉３ａの背面側には複数のドアポケット４が設けられ、上段には冷水器１０の水タンク１３が配される。水タンク１３は扉３ａを貫通する給水パイプ１２によって取水部１１に連結される。
【００１７】
水タンク１３は上面を開口して水を貯水する貯水部１４と貯水部１４の上面を覆う着脱自在の蓋部１５とを有している。蓋部１５を脱着して貯水部１４の清掃を行うことができる。
【００１８】
図３、図４は水タンク１３の上面図及び側面断面図を示している。蓋部１５には凹部１６が凹設される。凹部１６の底面には貯水部１４内に注水する注水口１７が開口する。注水口１７には格子状のリブ２１が設けられる。凹部１６の側壁は傾斜面から成り、上面の開口が広く形成される。これにより、貯水部１４に容易に注水できるようになっている。凹部１６の上面は矢印Ａの方向にスライド移動する開閉部材１８により開閉される。従って、注水口１７は開閉部材１８によって開閉される。
【００１９】
上記構成の冷蔵庫１において、開閉部材１８を開いて注水口１７から貯水部１４に注水し、開閉部材１８が閉じられる。扉３ａを閉じると貯水部１４内の水Ｗが冷却され、取水部１１から水タンク１３内の冷水を取り出すことができる。
【００２０】
また、貯水部１４内の水Ｗは扉３ａの開閉した際に衝撃による慣性力によって波立つ。格子状のリブ２１は貯水部１４内で波立つ水Ｗを整流する整流部材を成す。このため、貯水部１４に注水して使用者が開閉部材１８を閉じ忘れても、リブ２１の整流作用によって水Ｗの振幅が減少して注水口１７から水タンク１３外への水Ｗの流出が抑制される。即ち、リブ２１は波立つ水Ｗが注水口１７から流出することを抑制する流出抑制部を構成する。これにより、冷蔵室３内や床面の浸水を防止することができる。
【００２１】
本実施形態によると、開閉部材１８を開いた際に注水口１７からの水の流出を抑制する格子状のリブ２１（流出抑制部）を設けたので、開閉部材１８を閉じ忘れた際に扉３ａ開閉時の衝撃による慣性力によって水タンク１３内の水Ｗが波立っても注水口１７からの流出がリブ２１により抑制される。従って、冷蔵室３内や床面の浸水を防止することができる。
【００２２】
また、格子状のリブ２１によって注水口１７からの水の流出を抑制する流出抑制部を容易に実現することができる。また、リブ２１を蓋部１５と一体成形して流出抑制部を容易に形成することができる。
【００２３】
また、凹部１６の側壁が傾斜面から成り、開閉部材１８が凹部１６の上面を開閉して注水口１７を凹部１６の底面に形成したので、注水口１７の上方の開口面積を大きくして水タンク１３への注水を容易に行うことができる。加えて、注水口１７から一時的に飛び出した水が凹部１６の側壁に沿って貯水部１４に戻るため、注水口１７からの水の流出をより確実に抑制して浸水を防止することができる。
【００２４】
次に、図５、図６は第２実施形態の冷蔵庫の水タンクを示す上面図及び側面断面図である。説明の便宜上、前述の図１〜図４に示す第１実施形態と同一の部分は同一の符号を付している。本実施形態は第１実施形態の格子状のリブ２１（図３参照）に替えて注水口１７にメッシュ部材２２が設けられている。その他の部分は第１実施形態と同様である。
【００２５】
メッシュ部材２２は注水口１７の開口面に取り付けられる金属製や樹脂製の網によって形成される。メッシュ部材２２は第１実施形態と同様に、扉３ａを開閉した際に衝撃による慣性力によって貯水部１４内で波立つ水Ｗを整流する整流部材を成す。
【００２６】
このため、貯水部１４に注水して使用者が開閉部材１８を閉じ忘れても、メッシュ部材２２の整流作用によって水Ｗの振幅が減少して注水口１７から水タンク１３外への水Ｗの流出が抑制される。即ち、メッシュ部材２２は波立つ水Ｗが注水口１７から流出することを抑制する流出抑制部を構成する。これにより、冷蔵室３内や床面の浸水を防止することができる。
【００２７】
次に、図７、図８は第３実施形態の冷蔵庫の水タンクを示す上面図及び側面断面図である。説明の便宜上、前述の図１〜図４に示す第１実施形態と同一の部分は同一の符号を付している。本実施形態は第１実施形態の格子状のリブ２１（図３参照）に替えて注水口１７に小孔部材２３が設けられている。その他の部分は第１実施形態と同様である。
【００２８】
小孔部材２３は注水口１７の開口面に取り付けられる樹脂によって形成され、多数の小孔を有している。小孔部材２３を蓋部１５と一体成形してもよい。小孔部材２３は第１実施形態と同様に、扉３ａを開閉した際に衝撃による慣性力によって貯水部１４内で波立つ水Ｗを多数の小孔によって整流する整流部材を成す。
【００２９】
このため、貯水部１４に注水して使用者が開閉部材１８を閉じ忘れても、小孔部材２３の整流作用によって水Ｗの振幅が減少して注水口１７から水タンク１３外への水Ｗの流出が抑制される。即ち、小孔部材２３は波立つ水Ｗが注水口１７から流出することを抑制する流出抑制部を構成する。これにより、冷蔵室３内や床面の浸水を防止することができる。
【００３０】
次に、図９、図１０は第４実施形態の冷蔵庫の水タンクを示す上面図及び側面断面図である。説明の便宜上、前述の図１〜図４に示す第１実施形態と同一の部分は同一の符号を付している。本実施形態は第１実施形態の格子状のリブ２１（図３参照）に替えて注水口１７の上方に遮蔽板２４が設けられている。その他の部分は第１実施形態と同様である。
【００３１】
遮蔽板２４は蓋部１５と一体成形され、注水口１７の周囲から上方に延びる複数の脚部（不図示）を介して注水口１７の上方に配される。これにより、遮蔽部材２４は注水口１７の開口面に対して上下方向の隙間Ｄを有して注水口１７の上方を覆い、注水口１７と開閉部材１８との間に配される。
【００３２】
貯水部１４に注水して使用者が開閉部材１８を閉じ忘れた際に、貯水部１４内で波立つ水Ｗは一時的に注水口１７の開口面よりも上方に突出する。しかし、水Ｗは遮蔽板２４によって貯水部１４に戻され、注水口１７から水タンク１３外への水Ｗの流出が抑制される。即ち、遮蔽板２４は波立つ水Ｗが注水口１７から流出することを抑制する流出抑制部を構成する。これにより、冷蔵室３内や床面の浸水を防止することができる。
【００３３】
次に、図１１、図１２は第５実施形態の冷蔵庫の水タンクを示す上面図及び側面断面図である。説明の便宜上、前述の図１〜図４に示す第１実施形態と同一の部分は同一の符号を付している。本実施形態は第１実施形態の格子状のリブ２１（図３参照）に替えて注水口１７に弾性部材２５が設けられている。その他の部分は第１実施形態と同様である。
【００３４】
弾性部材２５は注水口１７の開口面に一端を固定されて注水口１７を塞ぐ。図１３に示すように、水タンク１３に注水する際には弾性部材２５が水の重量によって弾性変形して注水口１７を開放する。注水が終了すると弾性部材２５が弾性力によって注水口１７を閉じる。
【００３５】
このため、貯水部１４に注水して使用者が開閉部材１８を閉じ忘れた際に、貯水部１４内で波立つ水Ｗは弾性部材２５に衝突して貯水部１４に戻される。これにより、注水口１７から水タンク１３外への水Ｗの流出が抑制される。即ち、弾性部材２５は波立つ水Ｗが注水口１７から流出することを抑制する流出抑制部を構成する。これにより、冷蔵室３内や床面の浸水を防止することができる。
【産業上の利用可能性】
【００３６】
本発明によると、冷水器を備えた冷蔵庫に利用することができる。
【符号の説明】
【００３７】
１    冷蔵庫
２    冷凍室
２ａ、３ａ  扉
３    冷蔵室
１０    冷水器
１１    取水部
１２    給水パイプ
１３    水タンク
１４    貯水部
１５    蓋部
１６    凹部
１７    注水口
１８    開閉部材
２１    リブ
２２    メッシュ部材
２３    小孔部材
２４    遮蔽板
２５    弾性部材
Ｗ    水
【図１】
2011012827.tif 000003
【図２】
2011012827.tif 000004
【図３】
2011012827.tif 000005
【図４】
2011012827.tif 000006
【図５】
2011012827.tif 000007
【図６】
2011012827.tif 000008
【図７】
2011012827.tif 000009
【図８】
2011012827.tif 000010
【図９】
2011012827.tif 000011
【図１０】
2011012827.tif 000012
【図１１】
2011012827.tif 000013
【図１２】
2011012827.tif 000014
【図１３】
2011012827.tif 000015